(57)【要約】  本発明は、快適性を改善することを目的とした靴の構成に用いられる履物製品用インソール、及びそのようなインソールを備えた履物製品に関する。このインソールは、ユーザの足の圧力を受けるための本体部１を有しており、この本体部は、流体に対して透過性を持つ圧縮可能な材料３、６が充填された少なくとも１つの変形可能な空洞部２、５を備えており、流体取り入れのための少なくとも１つの流入口Ｅ１、Ｅ２と、この流入口とは別体の、流体排出のための少なくとも１つの流出口Ｓ１、Ｓ２、Ｓ３を備えている。さらに、空洞部の非変形状態における本体部の厚みは、場合によっては、空洞部の周辺を除いて、及び／または、場合によっては、流入口及びま／または流出口を除いて、実質的に一定となっている。
2013523364.tif 000002
【特許請求の範囲】
【請求項１】
ユーザの足の圧力に適応するよう構成された本体部（１）を備えた履物用インソールであって、前記本体部（１）が、少なくとも部分的に圧縮可能な流体透過性材料（３、６）が充填された少なくとも１つの変形可能な空洞部（２、５）を備えており、この空洞部（２、５）が前記空洞部への流体の取り入れを可能にする少なくとも１つの流入口（Ｅ１、Ｅ２）と、この流入口（Ｅ１、Ｅ２）とは別体で、前記空洞部（２、５）からの流体の排出を可能にする少なくとも１つの流出口（Ｓ１、Ｓ２、Ｓ３）を備えている履物用インソールにおいて、
前記空洞部（２、５）の非変形状態における前記本体部（１）の厚みが、場合によっては前記空洞部（２、５）の周縁部（１５、１６、２３、２７）を除いて、及び／または、場合によっては前記流入口及び／または前記流出口（Ｅ１、Ｅ２、Ｓ１、Ｓ２、Ｓ３）を除いて、実質的に一定である履物用インソール。
【請求項２】
前記空洞部（２）が、実質的に前記本体部（１）の少なくとも後部にわたって延びている請求項１に記載のインソール。
【請求項３】
前記空洞部（２）が、踵に対応する前記本体部（１）の部分から、実質的に、少なくとも中間足底領域に対応する前記本体部（１）の領域の境界部まで延びている請求項２に記載のインソール。
【請求項４】
前記本体部（１）が、第１空洞部である前記空洞部（２）に加えて、少なくとも部分的に圧縮可能な流体透過性材料（６）が充填された変形可能な第２空洞部（５）を有しており、この第２空洞部（５）に、この第２空洞部への流体の取り入れを可能にする少なくとも１つの流入口（Ｅ２）と、この流入口（Ｅ２）と別体で、前記第２空洞部（５）からの流体の排出を可能にする少なくとも１つの流出口（Ｓ２、Ｓ３）を備えている請求項２または３に記載のインソール。
【請求項５】
前記第１空洞部（２）と第２空洞部（５）とが連通していない請求項４に記載のインソール。
【請求項６】
前記第２空洞部（５）が、実質的に前記本体部（１）の少なくとも前部にわたって延びている請求項４または５に記載のインソール。
【請求項７】
前記第２空洞部（５）が、趾に対応する前記本体部（１）の部分から、実質的に、少なくとも中間足底領域に対応する前記本体部（１）の領域の境界部まで延びている請求項６に記載のインソール。
【請求項８】
前記第１空洞部（２）及び第２空洞部（５）が、少なくとも部分的に、前記中間足底領域に対応する本体部（１）の領域にわたって延びている請求項７に記載のインソール。
【請求項９】
前記第１空洞部（２）及び第２空洞部（５）の前記流入口（Ｅ１、Ｅ２）と、前記第１空洞部（２）及び第２空洞部（５）の後端との間の間隔が、前記第１空洞部（２）及び第２空洞部（５）の前記流出口（Ｓ１、Ｓ２、Ｓ３）と、前記第１空洞部（２）及び第２空洞部（５）の前記後端との間の間隔よりも短い請求項１〜８のいずれか１項に記載のインソール。
【請求項１０】
前記本体部（１）が、使用時に足の方側に向くよう設けられた上壁部材（７）と、この上壁部材（７）と反対側に向くよう設けられた下壁部材（８）とを有しており、前記流入口（Ｅ１、Ｅ２）が、前記下壁部材（８）に形成された開口部（２２）を備えている請求項１〜９のいずれか１項に記載のインソール。
【請求項１１】
前記流入口（Ｅ１、Ｅ２）に逆止弁（２１、２４）が設けられている請求項１〜１０のいずれか１項に記載のインソール。
【請求項１２】
前記本体部（１）が、使用時に足の方側に向くよう設けられた上壁部材（７）と、この上壁部材（７）と反対側に向くよう設けられた下壁部材（８）とを有しており、前記流出口（Ｓ１、Ｓ２、Ｓ３）が、前記上壁部材（７）に形成された開口部（１８）を備えている請求項１〜１１のいずれか１項に記載のインソール。
【請求項１３】
前記流出口（Ｓ１、Ｓ２、Ｓ３）が開口部（１８）と、少なくとも部分的に１つまたは複数の縁部（１７、１９）によって規定される１つまたは複数の流路（２０）を備えている請求項１〜１０のいずれか１項に記載のインソール。
【請求項１４】
前記流入口（Ｅ１、Ｅ２）に連結されている煙突状部材（４）を有している請求項１〜１３のいずれか１項に記載のインソール。
【請求項１５】
前記流出口（Ｓ１、Ｓ２、Ｓ３）に連結されている排出流路を有している請求項１〜１４のいずれか１項に記載のインソール。
【請求項１６】
前記圧縮可能な材料（３、６）が、例えばポリウレタンなどの発泡材である請求項１〜１５のいずれか１項に記載のインソール。
【請求項１７】
前記本体部（１）が、前記第１空洞部（２）及び第２空洞部（５）の周縁部を構成する１つまたは複数の組み付けライン（１６）において、例えばヒートシールによって下壁部材（８）に組みつけられている上壁部材（７）を有している請求項１〜１６のいずれか１項に記載のインソール。
【請求項１８】
前記上壁部材（７）及び下壁部材（８）が、例えばポリウレタンフィルム材などの可撓性樹脂製である請求項１７に記載のインソール。
【請求項１９】
前記上壁部材（７）が、例えばポリエステル材などの、インソールライナーとして機能する層（１０）で覆われており、この層が、例えばヒートシールなどによって前記上壁部材（７）に組みつけられるとともに、好ましくは、流入口（Ｅ１、Ｅ２）及び／または流出口（Ｓ１、Ｓ２、Ｓ３）に対向する１つまたは複数の開口部を備えている請求項１７または１８に記載のインソール。
【請求項２０】
前記層（１０）が、前記流入口（Ｅ１、Ｅ２）及び／または流出口（Ｓ１、Ｓ２、Ｓ３）に対向する箇所の周辺で、好ましくは円形状に分布配置された複数の開口部を備えている請求項１９に記載のインソール。
【請求項２１】
前記上壁部材（７）及び下壁部材（８）が、前記本体部（１）の周縁部においてストリップ（１５）を自由にするように組み付けライン（１６）を越えて設けられており、例えば縫合などによって、前記本体部（１）の履物製品の甲革（１１）に対する組み付けを可能にする請求項１７〜２０のいずれか１項に記載のインソール。
【請求項２２】
前記周縁ストリップ（１５）が溶接ビードまたはカバーステッチラインを備えている請求項２１に記載のインソール。
【請求項２３】
前記第１空洞部（２）及び第２空洞部（５）が、空洞部幅である前記本体部（１）の全幅にわたって延びており、前記本体部（１）上のユーザの足幅が、前記空洞部幅より大きくまたは等しく、好ましくは等しくなるように構成されている請求項１〜２２のいずれか１項に記載のインソール。
【請求項２４】
アウトソール（９）を備えた履物製品であって、前記アウトソール（９）の上方に位置する請求項１〜２３のいずれか１項に記載のインソールを備えている履物製品。
【請求項２５】
前記流入口（Ｅ１、Ｅ２）に連結された流体を取り入れるための開口部を備えた甲革（１１）を有している請求項２４に記載の履物製品。
【請求項２６】
前記開口部（１２）が、流体の取り入れを可能にする開放位置と、流体の取り入れを防止する閉鎖位置との間で調節可能である請求項２５に記載の履物製品。
【請求項２７】
前記インソールが、前記流入口（Ｅ１、Ｅ２）に連結され、前記甲革（１１）に沿って位置するとともに前記開口部（１２）に連結された煙突状部材（４）を備えている請求項２５または２６に記載の履物製品。
【発明の詳細な説明】
【技術分野】
【０００１】
本発明の目的は、履物用インソール及びそのようなインソールを備えた履物である。本発明において用いられる履物用インソールとは、一方は特にアウトソール、他方は靴の中にあるインソールライニングとの間に位置する中間構造または中間ソールのことである。
本発明は、特に、ひとつまたは複数のエアクッションを構成する空気などの流体の利用によって、快適性の改善を求める靴の構成に応用される。
【背景技術】
【０００２】
履物は、空気を内包し、クッション式の快適性及び／または緩衝材を構成することのできる発泡部材が挿入可能な空洞を有するものとして知られている。
【０００３】
使用時の快適性を保障するために、歩行中に足が揺動する際、空気が後方から前方へ循環させることが必要である。
【０００４】
このような製品は、例えば特許文献１，２に記載されている。
【０００５】
これらの文献は、弁や互いに連通する中間空洞を介して、足が揺動する際に空気が出入りする複雑なシステムを記載している。
【０００６】
このタイプの構造の不都合な点は、複雑な流体循環回路、快適性の欠如、歩行中の不安定性である。
【０００７】
一部が積層された一連の空洞もまた、インソールを収容するためにソールをくり抜く必要があるため、製造がより複雑になりコストが嵩むものとなり、及び／またはユーザに、極端な厚みのために不快感を強いるものであった。
【先行技術文献】
【特許文献】
【０００８】
【特許文献１】仏国特許発明第２５２５０８６号明細書
【特許文献２】米国特許第３７１６９３０号明細書
【発明の概要】
【発明が解決しようとする課題】
【０００９】
従って、本発明の目的は、特に、上述の問題点および不都合に対する解決策を提供することにある。
【課題を解決するための手段】
【００１０】
本発明は、第一の特徴において、ユーザの足の圧力に適応するよう構成された本体部を備えた履物用インソールに関する。
【００１１】
この本体部は、少なくとも部分的に圧縮可能な流体透過性材料が充填された少なくとも１つの変形可能な空洞部を備えている。
【００１２】
この空洞部は、空洞部への流体の取り入れを可能にする少なくとも１つの流入口と、この流入口と別体で、空洞部からの流体の排出を可能にする少なくとも１つの流出口を備えている。
【００１３】
空洞部の非変形状態における本体部の厚みは、場合によっては空洞部の周縁部（を除いて、及び／または、場合によっては流入口及び／または流出口を除いて、実質的に一定である。
【００１４】
好ましくは、空洞部は、実質的に本体部の少なくとも後部にわたって延びている。
【００１５】
空洞部は、実質的に全本体部にわたって延びている、または、踵に対応する本体部の部分から、実質的に、少なくとも中間足底領域に対応する本体部の領域の境界部まで延びている。
【００１６】
本体部は、第１空洞部である前記空洞部に加えて、少なくとも部分的に圧縮可能な流体透過性材料が充填された変形可能な第２空洞部（５）を有していてもよい。
【００１７】
この第２空洞部にも、この空洞部への流体の取り入れを可能にする少なくとも１つの流入口と、この流入口と別体で、第２空洞部からの流体の排出を可能にする少なくとも１つの流出口を備えている。
【００１８】
好ましくは、第１空洞部と第２空洞部は連通していない。
【００１９】
第２空洞部は、実質的に本体部の少なくとも前部にわたって延びている。
【００２０】
好ましくは、第２空洞部は、趾に対応する本体部の部分から、実質的に、少なくとも中間足底領域に対応する本体部の領域の境界部まで延びている。
【００２１】
同様に、好ましくは、第１及び第２空洞部は、少なくとも部分的に、中間足底領域に対応する本体部の領域にわたって延びている。
【００２２】
以下に他の実施例を示すが、これらは単独で実施してもよいし、複数を組み合わせて実施してもよい。
【００２３】
空洞部の流入口と、空洞部の後端との間の間隔は、空洞部の流出口と、空洞部の後端との間の間隔よりも短い。
【００２４】
本体部は、使用時に足の方側に向くよう設けられた上壁部材と、この上壁部材と反対側に向くよう設けられた下壁部材とを有しており、流入口は、下壁部材に形成された開口部を備えている。
【００２５】
流入口には逆止弁（２１、２４）が設けられている。
【００２６】
インソールは、流入口に連結されるとともに、流体の流入口への搬送が可能な取入流路である煙突状部材を備えている。
【００２７】
流出口は、上壁部材に形成された開口を有する。
【００２８】
流出口が、開口部と、少なくとも部分的に１つまたは複数の縁部によって規定される１つまたは複数の流路とを備えている。
【００２９】
インソールはまた、流出口に連結されるとともに、流体の流出口への排出、及び場合によっては流出口の外側への案内が可能な排出流路を備えている。
【００３０】
インソールはまた、流出口に連結されるとともに、流体の流出口への排出、及び場合によっては流出口の外側への案内が可能な排出流路を備えている。
【００３１】
圧縮可能な材料は、例えばポリウレタンなどの発泡材である。
【００３２】
上壁部材は、空洞部の周縁部を構成する１つまたは複数の組み付けラインによって、例えばヒートシールによって下壁部材に組みつけられる。
【００３３】
これらの上壁部材及び下壁部材は、例えばポリウレタンフィルム材などの可撓性樹脂製である。
【００３４】
上壁部材は、例えばポリエステル材などの、インソールライナーとして機能する層で覆われている。
【００３５】
この層は、例えばヒートシールなどによって上壁部材に組みつけられるとともに、好ましくは、流入口及び／または流出口に対向する１つまたは複数の開口部を備えている。
【００３６】
この層は、流入口及び／または流出口に対向する箇所の周辺で、好ましくは円形状に分布配置された複数の開口部を備えている。
【００３７】
上壁部材及び下壁部材は、本体部の周縁部に沿ってストリップを自由にするように組み付けラインを越えて設けられており、例えば縫合などによって、本体部の履物製品の甲革に対する組み付けを可能にする。
【００３８】
周縁ストリップは、溶接ビードまたはカバーステッチラインを備えている。
【００３９】
空洞部は、空洞部幅である本体部の全幅にわたって延びており、本体部上のユーザの足幅が、空洞部幅より大きくまたは等しく、好ましくは等しくなるように構成されている。
【００４０】
本発明は、第二の特徴において、アウトソールを備えた履物製品であって、アウトソールの上方に位置する、上述のいずれかに記載のインソールを備えている。
【００４１】
好ましくは、履物製品は、流入口に連結された流体を取り入れるための開口部を備えた甲革を有している。
【００４２】
この開口部は、流体の取り入れを可能にする開放位置と、流体の取り入れを防止する閉鎖位置との間で調節可能である。
【００４３】
インソールが、流入口に連結された煙突状部材を備えている場合、この煙突状部材は、甲革に沿って位置するとともに開口部に連結されている。
【００４４】
他の特徴及び利点は、添付の図面を参照した、以下の非限定的例として示す好適な実施例の記載から完全かつより明確になるであろう。
【図面の簡単な説明】
【００４５】
【図１】本発明によるインソールの一例の底面概略図である。
【図２】図１の例の概略断面図である。
【図３】図１の例の分解図である。
【図４】本発明によるインソールを備えた履物製品の分解図である。
【発明を実施するための形態】
【００４６】
本発明によるインソールの一実施例を、図１に底面図として概略的に示す。
【００４７】
本実施例では、インソールの本体部１に、互いに連通していない２つの空洞部２、５を設けている。
【００４８】
第１空洞部２は、踵に対応する領域である本体部１の後部から、ほぼ、足底弓に対応する領域の前方境界部まで延びている。その境界部は、連続ライン２ａで区切られている。
【００４９】
第２空洞部５は、その一部が、趾に対応する領域である本体部１の前部から、ほぼ、足底弓に対応する領域の前方境界部まで延びている。これらの境界部は、連続ライン５ａで区切られている。
【００５０】
第１空洞部２は、空気などの流体に対して透過性のある圧縮可能な材料製の部材３を有し、点線３ａで示すその縁部は、第１空洞部２の境界部２ａの手前で、間隙２３を残して終わっている。
【００５１】
この間隙２３の幅は、圧縮可能で流体透過性材料製の部材３が第１空洞部２の縁部２ａに近すぎるために、後述するように本体部１を形成する上壁部材と下壁部材を組に付ける際に第１空洞部２の流体密封性が損なわれるということがないようにする必要性と、逆に、第１空洞部の縁部２ａと部材３との間の間隔を広くしすぎて、この部材３が空洞２内で動いて、ユーザの安定性や快適性に支障が出るということがないようにする必要性との折衷策となっている。
【００５２】
第２空洞部５は、空気などの流体に対して透過性のある圧縮可能な材料製の部材６を有し、点線６ａで示す縁部は、第２空洞部５の境界部５ａの手前で、間隙２７を残して終わっている。
【００５３】
自由間隙２３に関する上記と同じ考慮が自由間隙２７にも適用されている。
【００５４】
部材３、６は、例えば、発泡ポリウレタンなどで製造される。
【００５５】
第１空洞部２には、流体の取り入れを可能にする流入口Ｅ１が設けられている。
【００５６】
この流入口Ｅ１には、空洞部２の下壁部材に位置する開口部２２が備えられており、これは、図１が底面図であるため、図１で視認できる壁部に設けられている。
【００５７】
開口部２２には、開口部２２と反対側の端部で空洞部２の下壁部材に取り付けられた可撓性の舌状部２１形状の逆止弁２１が備えられており、空気がこの舌状部２１を押し付けると、舌状部２１が開口部２２を交互に閉じたり開いたりするように構成されている。
【００５８】
圧縮可能な部材３が、弁２１の開口部と干渉しないように、流入口Ｅ１のすぐ手前で終わっていることがわかる。
【００５９】
第２空洞部５にも、流体の取り入れを可能にする流入口Ｅ２が設けられており、第１空洞部２の流入口Ｅ１と同じ構造を有している。従って、同様に、特に開口部（明確なため番号は付していない）と、逆止弁２４が設けられている。
【００６０】
流入口Ｅ２を含む第２空洞部５の領域は、第２空洞部５の主要部の延長部であり、部分的に足底弓にある。
【００６１】
同様に、流入口Ｅ１を含む第１空洞部２の領域は、第１空洞部２の主要部の延長部であり、部分的に足底弓にある。
【００６２】
本構造では、第１空洞部２及び第２空洞部５の２つの流入口Ｅ１、Ｅ２のそれぞれは、歩行中に加圧領域とならない足底弓に対応する領域の縁部に位置しており、図３及び図４からわかるように、ユーザを煩わせることなく、これらの流入口に同じ手段で流体を供給することが可能になっている。
【００６３】
さらに、流入口Ｅ１、Ｅ２は実質的にダクト形状で延びており、第１及び第２空洞部２、５のそれぞれに流体をより勢いよく導けるようになっている。
【００６４】
また、流入口Ｅ１、Ｅ２に対応する部分を除く第１空洞部２から第２空洞部５への移行領域は、実質的に、足から作用する圧力が大きくなりすぎない領域である中間足部または中間足底弓の前部に対応する。これにより、これらの領域の厚みの変化によって足の揺動中に生じる可能性のある不快感が減少する。これは、後述する図２の断面図によりわかりやすく示している。
【００６５】
さらに、第１空洞部２には流出口Ｓ１が設けられており、空洞部２の外側に流体が排出されるようになっている。
【００６６】
この流出口Ｓ１は点線で示した開口部１８を有しており、これは、底面図である図１では視認できない空洞部２の上壁部材に位置している。
【００６７】
圧縮可能な部材３は、流出口Ｓ１に対応する領域のすぐ手前で終わっており、流体の排出に干渉しないようになっている。
【００６８】
この流出口Ｓ１には流路を設けて、流路２０の壁となる障壁１７、１９を作り出すことによって、流体を開口部１８に案内しやすくすることができる。
【００６９】
以下の記載からわかるように、本体部１が、例えば溶接などによって、下壁部材と上壁部材とを組み付けることによって形成される場合、障壁１７、１９も、下壁部材に対する上壁部材の溶接部１７、１９として形成することができる。
【００７０】
従って、静止状態、つまり、構造に作用する圧力による変形がない状態においても、上壁部材及び下壁部材は、流出口Ｓ１において接当しており、逆止効果を発揮して、流出口Ｓ１を介して外側からの流体の侵入を防ぐ。
【００７１】
流出口Ｓ１はほぼ円形であり、障壁または縁部１７、１９は、開口部１８を中心としたほぼ円弧状であり、開口部１８と流出口Ｓ１の周辺部とのちょうど間に設けられている。
【００７２】
第２空洞部５には、２つの隣接する流出口Ｓ２、Ｓ３が設けられており、流体を空洞部５の外側に排出させることができるようになっている。
【００７３】
第２空洞部５のこれらの流出口Ｓ２、Ｓ３は、第１空洞部２の流出口Ｓ１と同様の構造を有しているため、詳細には記載しない。
【００７４】
これらの流出口Ｓ２、Ｓ３は、趾に対応する領域に位置していることが好ましく、この領域は、ユーザが、流体が流出口Ｓ２、Ｓ３から逃げるのを感じる箇所であるため特に重要である。
【００７５】
しかし、これらの流出口Ｓ２、Ｓ３は第２空洞部５の縁部５ａにあまり近すぎてはならず、圧縮可能で流体透過性の材料製の部材６が極端に押しつぶされないよう、また、例えインソールの周縁部であっても、ユーザに最適な快適性を確実に与えるようにしなければならない。この場合の目的は、ユーザに発泡が存在しないことを認識させないことである。
【００７６】
第１空洞部２でも第２空洞部５でも、流入口は流出口の後方に位置する。
【００７７】
従って、流入口Ｅ１は流出口Ｓ１の後方に位置する。つまり、流入口Ｅ１と第１空洞部２の後端部とを隔てる距離は、流出口Ｓ１と第１空洞部２の後端部とを隔てる距離より短い。
【００７８】
同様に、流入口Ｅ２は流出口Ｓ２、Ｓ３の後方に位置する。つまり、流入口Ｅ２と第２空洞部５の後端部とを隔てる距離は、流出口Ｓ２、Ｓ３と第２空洞部５の後端部とを隔てる距離より短い。
【００７９】
第１空洞部２にある流入部Ｅ１は、必ず、上述したように流出口Ｓ１の後方に位置しているが、第１空洞部２の前部において、流出口Ｓ１に近接した状態を保っている。
【００８０】
流入口Ｅ１では、溶接部が空洞部内に連続しており、足が揺動した際、特に足の圧力が流出口Ｓ１に対応する領域に作用した際、空気を踵の方へ再度案内するようになっている。
【００８１】
流出口Ｓ１における流路２０は、空洞部２からの空気の排出を最適にするために、実質的に足の後方から前方に向かっており、流出口Ｓ２、Ｓ３の流路（簡素化のため参照番号を付していない）は流出口Ｓ１の流路２０に対して直交する向きとなっている。これは、足の揺動は足の前部で円運動となる結果、これらの流出口Ｓ２、Ｓ３に関しては、流路がこの方向であれば最適となるからである。
【００８２】
図２及び図３からより正確にわかるように、本体部１は、下壁部材及び上壁部材を組み付けることによって構成されていることが好ましい。
【００８３】
従って、図１では、組み付けストリップ１６に対応する太い組み付けライン１６を示しており、この領域で、上壁部材と下壁部材が接合されて組み付けられる。
【００８４】
よって、ライン１６ａと２ａとの間、ライン１６ａと５ａとの間、また、空洞部２と５との移行部におけるライン２ａと５ａとの間のストリップ１６が、空洞部２、５の周縁部を形成している。
【００８５】
空洞部２、５の正確な幾何学的形状によると、この組み付けストリップ１６は、図１の空洞部２のように、流入口Ｅ１の近傍で、空洞内に侵入するように延出することも可能である。
【００８６】
上述した縁部つまり障壁１７、１９も、組み付け領域の小領域を構成してもよい。
【００８７】
本体部１の全周において、上壁部材及び下壁部材を構成する材料は周縁ストリップ１５に連続しており、靴の甲革に縫い付けるまたは縫い合わせることによって、インソールの靴への組付けが容易になる。
【００８８】
また、この周縁ストリップ１５には溶接ビードまたはカバーステッチライン（図外）を施すことも可能であり、周縁ストリップ１５の折れを防ぎ、組み付け中における、靴の甲革への案内、縫い付け、縫い合わせが容易になる。
【００８９】
従って、本発明による本インソールの例では、踵から足が揺動する際、流入口Ｅ１を介して第１空洞部２内へ予め取り込まれた空気は、逆止弁２１によって、開口部２２から放出されることはなく、流出口Ｓ１の方へ徐々に送られ、Ｓ１の開口部１８から放出され、その後、足の揺動が続くと、煙突状部材からもたらされる新鮮な空気が流入口Ｅ１を介して第１空洞部２に再び取り込まれ、第２空洞部５に達する。
【００９０】
同様に、足の揺動が続いて第２空洞部５上に至ると、流入口Ｅ２を介して第２空洞部５に予め取り込まれた空気が流出口Ｓ２及びＳ３の方へ徐々に送られ、対応する開口部から放出される。
【００９１】
ここで得られる蠕動効果は、空洞部２及び５の幅がユーザの足幅と同じか小さい場合、特にユーザにとって快適なものとなる。
【００９２】
最適な解決法は、空洞部２、５の幅がユーザの足幅と同じ構造の場合に対応すると思われる。
【００９３】
足が揺動すると、空気の円運動が、踵から足中央領域までのほぼ直線において生じ、足の前部で、動きの終わりに近づくにつれて湾曲する。
【００９４】
また図１には断面線Ｃ−Ｃを示しており、これにより、図２の対応する断面図が規定されている。
【００９５】
この断面図では、図１のＣ−Ｃ断面図の後方にある背景の詳細は、図２において明確であるため、省略している。
【００９６】
このように、図１の実施例における本発明のインソールの本体部１が図２にも示されており、第１空洞部２および第２空洞部５は、それぞれ、圧縮可能な流体透過性材料製の、端部３ａ，６ａで規定される部材３、６を備えている。
【００９７】
第１空洞部２の縁部２ａと、圧縮可能な流体透過性材料製の部材３の縁部３ａとの間には、上壁部材７と下壁部材８が組み付けのための接合が可能なように、自由間隙２３が残されている。
【００９８】
同様に、第２空洞部５の縁部５ａと、圧縮可能な流体透過性材料製の部材６の縁部６ａとの間には、上壁部材７と下壁部材８の組み付けのための接合が可能なように、自由間隙２７が残されている。
【００９９】
正確には、主体部は、好ましくはポリウレタンフィルム材などの可撓性材料製の上壁部材７と下壁部材８とを組み付けることによって製造される。
【０１００】
組み付けは、図１に関して説明した組み付けラインつまりストリップ１６においてヒートシールによって行われる。
【０１０１】
図２では、これらの組み付けライン１６は本体部１の端部（本体部１の周縁部に対応する）、及び第１及び第２空洞部２、５の間の移行部に位置している。
【０１０２】
第１空洞部２は縁部２ａによって規定されるとともに、第２空洞部５は縁部５ａによって規定される。
【０１０３】
従って、本体部１の端部における組み付けストリップ１６は、一方では境界線つまり縁部２ａ、１６ａによって、他方では５ａ、１６ａによって規定される。
【０１０４】
さらに、第１空洞部２と第２空洞部５の間の移行部における組み付けストリップは、境界線つまり縁部２ａ、５ａによって規定される。
【０１０５】
従って、図１に示す本体部１の周縁部に対応する断面視の本体部１の端部には、上壁部材７及び下壁部材８の組み付けストリップ１６を越える延長部に対応するストリップ１５が位置している。
【０１０６】
よって、本体部は、第１空洞部２と第２空洞部５との間の移行領域、及び第１及び第２空洞部２、５の周縁部を除いて、また結果的に組み付けストリップ１６、空間２３、２７及び周縁部ストリップ１５を除いて、その全長及び全幅にわたって一定の厚みを有している。
【０１０７】
図１に示す流入口Ｅ１、Ｅ２及び流出口Ｓ１、Ｓ２、Ｓ３は、図１の断面線Ｃ−Ｃの位置を考慮して、図２には示していない。
【０１０８】
しかし、流出口領域Ｓ１、Ｓ２、Ｓ３、及び実施例によっては流入口Ｅ１、Ｅ２においては、これらの領域で本体部１の厚みが薄くなるように、上壁部材７と下壁部材８とが接合されて組み付けられる。
【０１０９】
これらの本体部１の肉薄領域は、足が揺動する際、足の圧力が弱い、またはかかっていない場所に位置して、ユーザが厚みが薄くなっていることを感じないようにすることが好ましい。
【０１１０】
同様に、本体部は、第１及び第２空洞部２、５の周縁部を除いて、また、場合によっては流入口Ｅ１、Ｅ２及び／または流出口Ｓ１、Ｓ２、Ｓ３を除いて、一定の厚みを有している。
【０１１１】
図３には、図１及び図２に示した本体部１のアセンブリの分解図を示している。
【０１１２】
簡素化のため、いくつかの部材のみに参照番号を付している。
【０１１３】
従って、ライン１６ａのみを示す組み付けストリップにおける上壁部材７と下壁部材８のアセンブリは示しているが、第１空洞部と第２空洞部との間の移行部におけるアセンブリは示していない。
【０１１４】
アセンブリライン１６ａを越える本体部１の外辺ストリップ１５も示している。
【０１１５】
第１空洞部２及び第２空洞部５は示していない。圧縮可能で流体透過性の材料製の部材３、６のみを示している。
【０１１６】
さらに、流入口Ｅ１、Ｅ２及び流出口Ｓ１、Ｓ３も、逆止弁２１、２４と同様に示している。
【０１１７】
図４は、本発明によるインソールを組み付けた靴の概略分解図である。
【０１１８】
このインソールでは、本体部１が、アウトソール９及び、場合によっては、これが例えば接着されるミッドソールと称される層２５と、インソールライナー１０との間に挿入されている。
【０１１９】
本体部の図示は簡略化されており、第１空洞部２及び第２空洞部５のみを、簡略化のため円形として示している。
【０１２０】
煙突状部材４が、図外の流入口Ｅ１、Ｅ２へ向けて空気を送るために設けられている。流入口Ｅ１、Ｅ２のそれぞれに２つの異なる煙突状部材を設けてもよいし、図４に示すように単一の煙突状部材を設けてもよい。
【０１２１】
この煙突状部材４は、靴の甲革１１に沿って設けられており、その両端は、流入口Ｅ１、Ｅ２と、例えば甲革１１内に形成された開口部１２とに連結されている。
【０１２２】
この開口部１２には、開口部１２を開閉したり、異なる中間部位で部分的に開くように、調節手段を設けることもできる。
【０１２３】
同様にして、各流出口Ｓ１、Ｓ２、Ｓ３（図外）に接続された排気流路を設けてもよい。
【０１２４】
図１〜図３で説明したように、本体部１に外辺ストリップ１５を設けた場合、ミッドソール２５を省略して、本体部１を、外辺ストリップ１５を直接縫い付けることによって、甲革１１の内側に組み付けることも可能である。
【０１２５】
さらに、インソールライナー１０を、本体部１の上壁部材７に直接組み付けることもできる。
【０１２６】
例えばポリエステル製のインソールライナー１０は、特にヒートシールによって、本体部１の上壁部材７に組み付けることができる。
【０１２７】
インソールライナーとしてのこの層１０には、１つまたは複数の開口部が形成されており、上壁部材７に形成された流出口Ｓ１、Ｓ２、Ｓ３の開口部から空気を排気させるようになっている。
【０１２８】
例えば、層１０に、流出口Ｓ１、Ｓ２、Ｓ３に対応する各開口部に対向する開口部を設けてもよい。
【０１２９】
また、流出口Ｓ１、Ｓ２、Ｓ３に対応する開口部に対向する部位の周囲に円形状に複数の開口部を分布させてもよい。
【０１３０】
上述の内容は例として記載したものであり、本発明を限定するものではない。
【０１３１】
特に、空洞部２、５、流入口Ｅ１、Ｅ２、流出口Ｓ１、Ｓ２、Ｓ１、圧縮可能な透過性材料製の部材３、６の形状は本発明を限定するものではない。
【０１３２】
同様に、空洞部の数も、本発明を限定するものではない。しかし、本体部に単一の空洞部２しか設けられていない場合は、少なくとも踵に対応する領域を覆うよう、または、本体部１の全体またはほぼ全体に延びるよう設けることが好ましい。
【０１３３】
さらに、上記実施例のように２つの空洞部を有する構成は、足の前部が空洞部５を圧縮する場合には上昇、足の後部のみが主に使われる場合は下降の両方において、望ましい蠕動効果を最適に発揮するという利点を有する。
【図１】
2013523364.tif 000003
【図２】
2013523364.tif 000004
【図３】
2013523364.tif 000005
【図４】
2013523364.tif 000006
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
ユーザの足の圧力に適応するよう構成された本体部（１）を備えた履物用インソールであって、前記本体部（１）が、使用時に足の方側に向くよう設けられた上壁部材（７）と、この上壁部材（７）と反対側に向くよう設けられた下壁部材（８）とを有するとともに、少なくとも部分的に圧縮可能な流体透過性材料（３、６）が充填された少なくとも１つの変形可能な空洞部（２、５）を備えており、この空洞部（２、５）が前記空洞部への流体の取り入れを可能にする少なくとも１つの流入口（Ｅ１、Ｅ２）と、この流入口（Ｅ１、Ｅ２）とは別体で、前記空洞部（２、５）からの流体の排出を可能にする少なくとも１つの流出口（Ｓ１、Ｓ２、Ｓ３）を備えている履物用インソールにおいて、
前記空洞部（２、５）の非変形状態における前記本体部（１）の厚みが、場合によっては前記空洞部（２、５）の周縁部（１５、１６、２３、２７）を除いて、及び／または、場合によっては前記流入口及び／または前記流出口（Ｅ１、Ｅ２、Ｓ１、Ｓ２、Ｓ３）を除いて、実質的に一定であり、前記流出口（Ｓ１、Ｓ２、Ｓ３）が、前記上壁部材（７）に形成された開口部（１８）を備えている履物用インソール。
【請求項２】
前記空洞部（２）が、実質的に前記本体部（１）の少なくとも後部にわたって延びている請求項１に記載のインソール。
【請求項３】
前記空洞部（２）が、踵に対応する前記本体部（１）の部分から、実質的に、少なくとも中間足底領域に対応する前記本体部（１）の領域の境界部まで延びている請求項２に記載のインソール。
【請求項４】
前記本体部（１）が、第１空洞部である前記空洞部（２）に加えて、少なくとも部分的に圧縮可能な流体透過性材料（６）が充填された変形可能な第２空洞部（５）を有しており、この第２空洞部（５）に、この第２空洞部への流体の取り入れを可能にする少なくとも１つの流入口（Ｅ２）と、この流入口（Ｅ２）と別体で、前記第２空洞部（５）からの流体の排出を可能にする少なくとも１つの流出口（Ｓ２、Ｓ３）を備えている請求項２または３に記載のインソール。
【請求項５】
前記第１空洞部（２）と第２空洞部（５）が連通していない請求項４に記載のインソール。
【請求項６】
前記第２空洞部（５）が、実質的に前記本体部（１）の少なくとも前部にわたって延びている請求項４または５に記載のインソール。
【請求項７】
前記第２空洞部（５）が、趾に対応する前記本体部（１）の部分から、実質的に、少なくとも中間足底領域に対応する前記本体部（１）の領域の境界部まで延びている請求項６に記載のインソール。
【請求項８】
前記第１空洞部（２）及び第２空洞部（５）が、少なくとも部分的に、前記中間足底領域に対応する本体部（１）の領域にわたって延びている請求項７に記載のインソール。
【請求項９】
前記空洞部（２、５）の前記流入口（Ｅ１、Ｅ２）と、前記第１空洞部（２）及び第２空洞部（５）の後端との間の間隔が、前記第１空洞部（２）及び第２空洞部（５）の前記流出口（Ｓ１、Ｓ２、Ｓ３）と、前記第１空洞部（２）及び第２空洞部（５）の前記後端との間の間隔よりも短い請求項１〜８のいずれか１項に記載のインソール。
【請求項１０】
前記流入口（Ｅ１、Ｅ２）が、前記下壁部材（８）に形成された開口部（２２）を備えている請求項１〜９のいずれか１項に記載のインソール。
【請求項１１】
前記流入口（Ｅ１、Ｅ２）に逆止弁（２１、２４）が設けられている請求項１〜１０のいずれか１項に記載のインソール。
【請求項１２】
前記流出口（Ｓ１、Ｓ２、Ｓ３）が前記上壁部材（７）に形成された開口部（１８）と、少なくとも部分的に１つまたは複数の縁部（１７、１９）によって規定される１つまたは複数の流路（２０）を備えている請求項１〜１１のいずれか１項に記載のインソール。
【請求項１３】
前記流入口（Ｅ１、Ｅ２）に連結されている煙突状部材（４）を有している請求項１〜１２のいずれか１項に記載のインソール。
【請求項１４】
前記流出口（Ｓ１、Ｓ２、Ｓ３）に連結されている排出流路を有している請求項１〜１３のいずれか１項に記載のインソール。
【請求項１５】
前記圧縮可能な材料（３、６）が、例えばポリウレタンなどの発泡材である請求項１〜１４のいずれか１項に記載のインソール。
【請求項１６】
前記本体部（１）が、前記空洞部（２、５）の周縁部を構成する１つまたは複数の組み付けライン（１６）において、例えばヒートシールによって下壁部材（８）に組みつけられている上壁部材（７）を有している請求項１〜１５のいずれか１項に記載のインソール。
【請求項１７】
前記上壁部材（７）及び下壁部材（８）が、例えばポリウレタンフィルム材などの可撓性樹脂製である請求項１〜１６のいずれか一項に記載のインソール。
【請求項１８】
前記上壁部材（７）が、例えばポリエステル材などの、インソールライナーとして機能する層（１０）で覆われており、この層が、例えばヒートシールなどによって前記上壁部材（７）に組みつけられるとともに、好ましくは、流入口（Ｅ１、Ｅ２）及び／または流出口（Ｓ１、Ｓ２、Ｓ３）に対向する１つまたは複数の開口部を備えている請求項１〜１７のいずれか一項に記載のインソール。
【請求項１９】
前記層（１０）が、前記流入口（Ｅ１、Ｅ２）及び／または流出口（Ｓ１、Ｓ２、Ｓ３）に対向する箇所の周辺で、好ましくは円形状に分布配置された複数の開口部を備えている請求項１８に記載のインソール。
【請求項２０】
前記上壁部材（７）及び下壁部材（８）が、前記本体部（１）の周縁部においてストリップ（１５）を自由にするように組み付けライン（１６）を越えて設けられており、例えば縫合などによって、前記本体部（１）の履物製品の甲革（１１）に対する組み付けを可能にする請求項１６〜１９のいずれか１項に記載のインソール。
【請求項２１】
前記周縁ストリップ（１５）が溶接ビードまたはカバーステッチラインを備えている請求項２０に記載のインソール。
【請求項２２】
前記空洞部（２、５）が、空洞部幅である前記本体部（１）の全幅にわたって延びており、前記本体部（１）上のユーザの足幅が、前記空洞部幅より大きくまたは等しく、好ましくは等しくなるように構成されている請求項１〜２１のいずれか１項に記載のインソール。
【請求項２３】
アウトソール（９）を備えた履物製品であって、前記アウトソール（９）の上方に位置する請求項１〜２２のいずれか１項に記載のインソールを備えている履物製品。
【請求項２４】
前記流入口（Ｅ１、Ｅ２）に連結された流体を取り入れるための開口部（１２）を備えた甲革（１１）を有している請求項２３に記載の履物製品。
【請求項２５】
前記開口部（１２）が、流体の取り入れを可能にする開放位置と、流体の取り入れを防止する閉鎖位置との間で調節可能である請求項２４に記載の履物製品。
【請求項２６】
前記インソールが、前記流入口（Ｅ１、Ｅ２）に連結され、前記甲革（１１）に沿って位置するとともに前記開口部（１２）に連結された煙突状部材（４）を備えている請求項２４または２５に記載の履物製品。
【国際調査報告】
2013523364.tif 000007
2013523364.tif 000008
2013523364.tif 000009
2013523364.tif 000010
2013523364.tif 000011
2013523364.tif 000012